(57)【要約】【課題】  記憶媒体に対して画像データを記憶する際に、記憶媒体の記憶領域を有効に活用する。【解決手段】  フィルムスキャナ２のプレスキャンで取得した画像データのコマ数Ｎと、ディスク型メディアＭｄの記憶容量Ｘとに基づいてコマデータ量算出手段２７が記憶可能データ量Ｄｎを求める。次に、この記憶可能データ量Ｘと適合するデータ量を得るように画像データ量設定手段２８がフィルムスキャナ２の目標画像データ量（解像度）を設定して本スキャンを行って画像データを取得し、この画像データを記憶処理手段２６がディスク処理装置１０に伝送してディスク型メディアＭｄに記憶するように記憶処理ユニットを構成した。【選択図】        図１３
2006180355.tif 000002
【特許請求の範囲】
【請求項１】
写真フィルムのコマ画像を光電変換して取得した複数コマの画像データ又はデジタルカメラで撮影された複数コマの画像データを記憶媒体に記憶する記憶処理ユニットを備えている記憶装置であって、
前記記憶処理ユニットが、前記記憶媒体に記憶可能な記憶容量と、この記憶媒体に記憶する前記画像データのコマ数とから前記記憶媒体に記憶可能な１コマの記憶可能データ量を算出するコマデータ量算出手段を備えると共に、
前記記憶可能データ量に基づいて前記記憶媒体に記憶する画像データのデータ量を設定する画像データ量設定手段を備えている記憶装置。
【請求項２】
前記写真フィルムのコマ画像を光電変換することにより画像データとして取得するフィルムスキャナを備え、このフィルムスキャナは取得する画像データの解像度を設定自在に構成され、前記画像データ量設定手段は、前記フィルムスキャナの解像度を設定するように構成されている請求項１記載の記憶装置。
【請求項３】
前記フィルムスキャナは、低解像度でデータ量の少ないプレスキャン画像データと、高解像度で予め設定された複数種のデータ量となる本スキャン画像データとの取得が可能に構成され、
前記画像データ量設定手段は、前記プレスキャン画像データに基づいて前記記憶媒体に記憶する画像データのコマ数を確定した後に、本スキャン画像データの解像度をオペレータが選択できるように処理形態が設定されている請求項２記載の記憶装置。
【請求項４】
前記画像データ量設定手段が、前記記憶可能データ量と、前記記憶媒体に記憶する前記画像データの１コマの画像データ量とを比較し、この画像データ量が前記記憶可能データ量より大きい場合には、前記画像データ量を低減するように処理形態が設定されている請求項１記載の記憶装置。
【請求項５】
前記画像データ量設定手段は、１コマの画像データ量として、予め設定された複数種の画像データ量がセットされ、この複数のデータ量からオペレータが選択できるように処理形態が設定されている請求項１記載の記憶装置。
【請求項６】
前記画像データ量設定手段が、画像データ量を低減する場合には画素数を減ずるように処理形態が設定され、前記記憶処理ユニットは、前記記憶可能データ量が、予め設定された限界データ量より小さいことを判別した場合には、記憶処理の実行の可否を確認するメッセージを出力するように処理形態が設定されている請求項１〜５のいずれか１項に記載の記憶装置。
【請求項７】
前記画像データ量設定手段は、画像データを低減する場合には、画素数を維持したまま画像データ量を低減する圧縮処理を行うよう処理形態が設定されている請求項１〜５のいずれか１項に記載の記憶装置。
【請求項８】
前記画像データ量設定手段は、指定された画像データの画像データ量を他の画像データの画像データ量より大きいデータ量に設定するように処理形態が設定されている請求項１〜７のいずれか１項に記載の記憶装置。
【請求項９】
前記画像データ量設定手段は、記憶可能データ量と、前記記憶媒体に記憶する前記画像データの１コマの画像データ量とを比較し、この画像データ量が前記記憶可能データ量より小さい場合には、前記写真フィルムのコマ画像の光電変換時の解像度を高めて画像データ量を増大するように処理形態が設定されている請求項１記載の記憶装置。
【発明の詳細な説明】
【技術分野】
【０００１】
本発明は、写真フィルムのコマ画像を光電変換して取得した複数コマの画像データ又はデジタルカメラで撮影された複数コマの画像データを記憶媒体に記憶する記憶処理ユニットを備えている記憶装置に関する。
【背景技術】
【０００２】
上記のように構成された記憶装置に関連する技術として、デジタルプリンタで用いられるプリント用データ（本発明の画像データ）をリムーバブル記録メディア（本発明の記録媒体）に記録する場合、プリント用データをデジタルプリンタの解像度に応じた適正解像度に自動変換する解像度変換部を備えた写真処理装置が存在する（特許文献１参照）。この写真処理装置では、所定の画素数のプリント用データから比較的小さいサイズのプリントを行う際に、例えば、プリント用データの画素数がデジタルプリンタにおいてプリント可能な画素数を超える場合には、画素数を減ずる形態（解像度を低減する）でデータ量の低減を行い、このように画素数を低減したプリント用データをリムーバブル記録メディアに記録する処理を行うように構成されている。
【０００３】
【特許文献１】特開２００１‐２７５０８２号公報（段落番号〔００２５〕〜〔００２９〕、図１２）
【発明の開示】
【発明が解決しようとする課題】
【０００４】
デジタル処理が可能なミニラボと称せられる写真プリントシステムが多くのＤＰ店に設置されるに伴い、写真フィルムのコマ画像を印画紙にプリントするオーダの他に、写真フィルムのコマ画像から取得した画像データを記録媒体としてＣＤ−Ｒ等の比較的大容量の記録媒体に記録するオーダも増大している。具体的例として米国 Eastman Kodak社が開発したフォトＣＤのように、写真フィルムのコマ画像を光電変換した後、決まったデータ量の画像データに変換してＣＤ−Ｒ等に保存するサービスが存在する。
【０００５】
このように記録媒体に画像データを記録した場合には、その記録媒体を家庭のパーソナルコンピュータにセットして電子アルバムの形態で画像データの観賞を可能にし、また、この記憶媒体に記録した画像データから写真をプリントすることも可能にする。これと同様に、デジタルカメラで撮影した画像データをＤＰ店で印画紙等にプリントする際にも、前述と同様に画像データを記録媒体としてＣＤ−Ｒ等の比較的大容量の記録媒体に記録することも可能である。
【０００６】
ここで、写真フィルムのコマ画像を画像データに変換してプリントした後に、この画像データをＣＤ−Ｒ等の比較的大容量の記録媒体に記録する際の処理を考えると、Ｅ判やＬ判等の比較的小さいサイズのプリントを行う設定に基づきフィルムスキャナでコマ画像のスキャニングを行った場合、取得した画像データのサイズはビットマップ構造で８ビット階調のものでもデータ量が数十メガバイトを超えることはない。しかしながら、この画像データを記録媒体に記録する際に、多くのコマ画像からの画像データを記録媒体に記録しようとした場合には、記憶媒体の記憶容量によっては、全てのコマ画像からの画像データを記録できないことも考える。
【０００７】
この不都合は、画像データを圧縮することによって簡単に解消するものであるが、画像データを例えばＪＰＥＧ等の規格に基づいて圧縮した場合、記録媒体に記録した画像データから再びプリントを行うことを考えた場合、画質の低下を招かないように高い圧縮率での圧縮は避けたいところであった。
【０００８】
特に、ブローニーフィルムのようにコマ画像のサイズが本来大きいものでは、スキャニングによって取得する画像データのデータ量が大きくなるため、記憶媒体に画像データを記録する際に、記録可能なコマ数が少なくなりやすく改善の余地があった。
【０００９】
本発明の目的は、記憶媒体に画像データを無理なく保存し得る記憶装置を合理的に構成する点にある。
【課題を解決するための手段】
【００１０】
本発明の特徴は、写真フィルムのコマ画像を光電変換して取得した複数コマの画像データ又はデジタルカメラで撮影された複数コマの画像データを記憶媒体に記憶する記憶処理ユニットを備えている記憶装置において、
前記記憶処理ユニットが、前記記憶媒体に記憶可能な記憶容量と、この記憶媒体に記憶する前記画像データのコマ数とから前記記憶媒体に記憶可能な１コマの記憶可能データ量を算出するコマデータ量算出手段を備えると共に、
前記記憶可能データ量に基づいて前記記憶媒体に記憶する画像データのデータ量を設定する画像データ量設定手段を備えている点にある。
【００１１】
この構成により、コマデータ量算出手段が記憶媒体に記憶可能な記憶容量と、この記憶媒体に記憶する画像データのコマ数とから、記憶媒体に記憶可能な１コマの記憶可能データ量が算出する。次に、画像データ量設定手段が、画像データの１コマのデータ量を設定することによって、複数コマの画像データを設定されたデータ量で記憶媒体に記憶することが可能となる。つまり、記憶媒体が単一であっても複数であっても、記憶媒体に画像データを記憶する際の１コマあたりの記憶可能データ量を求め、例えば、この記憶可能データ量より少し小さいデータ量となるように画像データのデータ量を設定する処理を行うことにより、記憶媒体の記憶容量を無駄にすることなく、画像データを記憶媒体に記憶できるのである。その結果、画像データを無理なく保存し得る記憶装置が構成された。
【００１２】
本発明は、前記写真フィルムのコマ画像を光電変換することにより画像データとして取得するフィルムスキャナを備え、このフィルムスキャナは取得する画像データの解像度を設定自在に構成され、前記画像データ量設定手段は、前記フィルムスキャナの解像度を設定するように構成しても良い。
【００１３】
この構成により、写真フィルムのコマ画像を光電変換して画像データを取得する際に、解像度の設定によって必要とするデータ量の画像データを取得することが可能となる。
【００１４】
本発明は、前記フィルムスキャナは、低解像度でデータ量の少ないプレスキャン画像データと、高解像度で予め設定された複数種のデータ量となる本スキャン画像データとの取得が可能に構成され、
前記画像データ量設定手段は、前記プレスキャン画像データに基づいて前記記憶媒体に記憶する画像データのコマ数を確定した後に、本スキャン画像データの解像度をオペレータが選択できるように処理形態を設定しても良い。
【００１５】
この構成により、低解像度のプレスキャン画像データをディスプレイに表示させる等の処理を行い、この表示に基づいてオペレータが記憶の可否を判断して記憶すべき画像データを特定してコマ数を設定できるものとなり、この後に、解像度を設定することにより、必要とする画像データ量となる本スキャン画像データを取得することが可能となる。
【００１６】
本発明は、前記画像データ量設定手段が、前記記憶可能データ量と、前記記憶媒体に記憶する前記画像データの１コマの画像データ量とを比較し、この画像データ量が前記記憶可能データ量より大きい場合には、前記画像データ量を低減するように処理形態を設定しても良い。
【００１７】
この構成により、例えば、デジタルカメラで撮影された画像データや、フィルムスキャナを用いて高い解像度となる本スキャンのみを行って取得した画像データを記憶媒体に記憶する場合でも、記憶媒体に無理なく記憶することが可能となる。
【００１８】
本発明は、前記画像データ量設定手段として、１コマの画像データ量として、予め設定された複数種の画像データ量がセットされ、この複数のデータ量からオペレータが選択できるように処理形態を設定しても良い。
【００１９】
この構成により、画像データ量を低減する場合には１コマあたりの画像データ量を複数種の中から選択することが可能となり、例えば、画像データ量を任意に設定するものと比較して操作が簡便となり、例えば、デジタルプリンタのプリントヘッドの解像度に対応した画素数での記憶を可能にし、記憶した画像データからのプリントを容易にする。
【００２０】
本発明は、前記画像データ量設定手段が、画像データ量を低減する場合には画素数を減ずるように処理形態が設定され、前記記憶処理ユニットは、前記記憶可能データ量が、予め設定された限界データ量より小さいことを判別した場合には、記憶処理の実行の可否を確認するメッセージを出力するように処理手段を設定しても良い。
【００２１】
この構成により、画素数を減ずることによって画像データの画像データ量を低減するように処理形態が設定され、コマデータ量算出手段によって算出された記憶可能データ量が限界データ量より小さくなった場合には、記憶処理の可否を確認するので、画像データを過少なデータ量に設定することもない。
【００２２】
本発明は、前記画像データ量設定手段として、画像データを低減する場合には、画素数を維持したまま画像データ量を低減する圧縮処理を行うよう処理形態を設定しても良い。
【００２３】
この構成により、例えば。ＪＰＥＧ規格のように任意の圧縮率で画像データの圧縮を行うことにより、画素数を変化させることなく必要とする画像データ量での記憶処理を行える。
【００２４】
本発明は、前記画像データ量設定手段は、指定された画像データの画像データ量を他の画像データの画像データ量より大きいデータ量に設定するように処理形態を設定しても良い。
【００２５】
この構成により、記憶媒体に対して複数のデータ量となる画像データを記憶することが可能となり、例えば、大きいサイズのプリントを行う可能性がある画像データを高い解像度で記憶することにより、高品質のプリントを行えるようにすることも可能となる。
【００２６】
本発明は、前記画像データ量設定手段として、記憶可能データ量と、前記記憶媒体に記憶する前記画像データの１コマの画像データ量とを比較し、この画像データ量が前記記憶可能データ量より小さい場合には、前記写真フィルムのコマ画像の光電変換時の解像度を高めて画像データ量を増大するように処理形態を設定しても良い。
【００２７】
この構成により、記憶媒体に少ない数の画像データを記憶する場合には、高い解像度の画像データを記憶でき、記憶媒体の記憶容量を無駄にすることがなく、その画像データから高品質のプリントを行うことも可能となる。
【発明を実施するための最良の形態】
【００２８】
以下、本発明の実施形態を図面に基づいて説明する。
〔全体構成〕図１に示すように、デスク状のコンソール部１に対して写真フィルムＦのコマ画像を光電変換によりデジタル信号化して画像データとして取り込むフィルムスキャナ２と、各種情報を表示するディスプレイ３と、画像処理とプリントに必要な処理とを行う汎用コンピュータで成る処理装置４と、キーボード５と、マウス６と、ＣＤ−ＲやＤＶＤ−Ｒ等のディスク型メディアＭｄ（記憶媒体の一例）に対して情報を保存するディスク処理装置１０とを備えると共に、前記処理装置４からの情報に基づいて写真プリント部Ｐの制御を行う情報伝送系を備えてプリント処理システム（記憶装置の一例）が構成されている。
【００２９】
前記処理装置４は、ディスプレイ３に表示された情報に従ってオペレータが前記キーボード５やマウス６を操作することにより、各種の処理を実現するインタフェースを具備すると共に、ＣＤやＭＯやＦＤ等のディスク型メディアＭｄ（記憶媒体の一例）からの情報を取得するようにディスク型メディアＭｄの構造に対応したディスクドライブ７と、半導体型メディアＭｓ（記憶媒体の一例）からの情報を取得するように半導体型メディアＭｓの構造に対応した半導体ドライブ８とを備えている。
【００３０】
また、この処理装置４は、前記スキャナ２で取得した画像データ、あるいは、ディスクドライブ７や半導体ドライブ８で取得した画像データを、処理装置４に内蔵した前記半導体メモリ２３（ＲＡＭ）やハードディスクＨＤ（図３を参照）に保存する処理を行い、必要な場合に画像データをディスプレイ３に表示した状態で補正処理を行うソフトウエア、及び、画像データとプリントサイズやプリント枚数等の処理情報を前記写真プリント部Ｐに伝送することにより写真プリント部Ｐでのプリント処理を実現するソフトウエアがインストールされている。
【００３１】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）３原色に色分解して取り込むラインＣＣＤ型の光電変換部を配置している。このフィルムスキャナ２で写真フィルムＦのスキャニングを行う場合には、その写真フィルムＦのサイズに適合したフィルムキャリア２Ａを光源部の上面に装着してスキャニングを行うことにより、写真フィルムＦを副走査方向（長手方向）に搬送する作動と同期して光電変換部において写真フィルムＦのコマ画像を主走査方向に走査する形態でデジタル信号化して取り込む処理が行われ、このように取り込まれた画像データは、前記処理装置４に転送され前記半導体メモリ２３（ＲＡＭ）やハードディスクＨＤに保存される。
【００３２】
このフィルムスキャナ２は、写真フィルムＦのコマ画像から低い解像度（少ない画素数）で画像データを取得するプレスキャンと、写真フィルムＦのコマ画像から高い解像度（多い画素数）で画像データを取得する本スキャンとの２種の形態の何れか一方でのスキャニングによって画像データの取得を行えるよう構成されると共に、本スキャン時における解像度を任意に設定できるように構成されている。
【００３３】
前記ディスク処理装置１０は、図２に示すように、本体１０Ａの上部に配置したプリント部１０Ｐと、本体１０Ａの中間部に配置した書込部１０Ｗと、ＣＤ−ＲやＤＶＤ−Ｒ等のディスク型メディアＭｄ（記憶媒体の一例）の集積部１０Ｃと、このディスク型メディアＭｄ給排を行うピッカー１１とを備えている。
【００３４】
前記プリント部１０Ｐは、水平方向に出退作動自在なトレイ１２と、このトレイ１２に載置されたディスク型メディアＭｄの表面（レーベル面）に情報をプリントするインクジェット型のプリントヘッド（図示せず）とを備えている。前記書込部１０Ｗは、水平方向に出退作動自在なトレイ１３と、このトレイ１３に載置されたディスク型メディアＭｄに対して情報を書き込む書込ヘッド（図示せず）とを備えている。前記集積部１０Ｃは、未処理ディスクストッカー１４と、処理済ディスクストッカー１５とを備えている。前記ピッカー１１は、ディスク型メディアＭｄを挟持する状態と分離する状態とに切り換え自在に構成されると共に、昇降部１６に沿って昇降自在で、この昇降部１６の縦向きの軸芯を中心として揺動自在に構成されている。
【００３５】
このディスク処理装置１０は、前記集積部１０Ｃの未処理ディスクストッカー１４にセットされた未処理のディスク型メディアＭｄをピッカー１１が挟持して持ち上げ、前記プリント部１０Ｐのトレイ１２に供給することによりディスク型メディアＭｄの表面（レーベル面）にプリントヘッドが記憶内容を示す情報等のプリントを行う。次に、プリントされたディスク型メディアＭｄをピッカー１１で挟持して書込部１０Ｗのトレイ１３に供給してデータを記憶する。このプリントと記憶とが終了したディスク型メディアＭｄを再びピッカー１１で挟持し、このピッカー１１を縦向き姿勢の軸芯周りで揺動させ、前記集積部１０Ｃの処理済ディスクストッカー１５の上方から下方に送り込む形態でディスク型メディアＭｄが集積するよう処理のシーケンスが設定されている。
【００３６】
図面には示していないが、前記写真プリント部Ｐは、銀塩印画紙に前記画像データの露光を行った後、現像処理槽において現象処理を行い、この後に乾燥した状態で送り出す処理を行うよう構成されている。ちなみに、この写真プリント部Ｐは銀塩印画紙を用いるものに限るものではなく、非銀塩紙にインクジェット型のプリントヘッドで画像データをプリントする構造のものであっても良い。
【００３７】
前記フィルムスキャナ２とディスプレイ３と処理装置４とキーボード５とマウス６とディスク処理装置１０とで本発明の記憶装置が構成されている。また、前記処理装置４と前記ディスクドライブ７との組み合わせ、又は、前記処理装置４と前記ディスク処理装置１０との組み合わせによって本発明の記憶処理ユニットが構成されている。
【００３８】
つまり、プリント処理システム（記憶装置の一例）は、前記フィルムスキャナ２において写真フィルムＦのコマ画像から複数コマの画像データを取得する、前記ディスクドライブ７から複数コマの画像データを取得する、又は、前記半導体型メディアＭｓから複数コマの画像データを取得し、この後、前記ディスクドライブ７又は前記ディスク処理装置１０を用いて前記ディスク型メディアＭｄ（記憶媒体の一例）に複数の画像データを記憶する際に、ディスク型メディアＭｄの記憶容量を有効に活用する点に特徴を有するものである。
【００３９】
尚、本実施形態では、画像データを記憶する際に、記憶媒体として前記ディスク処理装置１０にセットしたディスク型メディアＭｄを想定しているが、記憶媒体として前記ディスクドライブ７にセットしたディスク型メディアＭｄや、半導体ドライブ８にセットした半導体型メディアＭｓを用いるように処理形態を設定しても良い。
【００４０】
このプリント処理システムの処理系を図３のように示すことが可能である。この処理系では、前記処理装置４において、マイクロプロセッサＣＰＵに信号のアクセスを行う入出力インタフェース２１を備えており、この入出力インタフェース２１に対して前記フィルムスキャナ２、ディスプレイ３、キーボード５、マウス６、ディスクドライブ７、半導体ドライブ８、ディスク処理装置１０、ハードディスクＨＤ夫々の間で信号をアクセスする信号系が形成されると共に、通信ユニット２２を介して前記写真プリント部Ｐとの間で信号をアクセスする信号系が形成されている。
【００４１】
前記処理装置４は、マイクロプロセッサＣＰＵのデータバスに半導体メモリ２３（ＲＡＭ／ＲＯＭ）、オペレーティングシステム２４、プリント実行手段２５、記憶処理手段２６、コマデータ量算出手段２７、画像データ量設定手段２８夫々を接続している。ちなみに、この処理装置４において制御を実現するためにはデータバスの他にコントロールバスやアドレスバス等を必要とするものであるが、複雑化を避けるために図面にはコントロールバスやアドレスバス、あるいは、インタフェース類を示していない。
【００４２】
前記オペレーティングシステム２４は、ディスプレイ３に対して必要な情報を表示し、ディスプレイ３に表示された情報に基づき、この処理装置４にインストールされている各種のソフトウエアによるＧＵＩ（Graphical User Interface）型の処理を実現する。
【００４３】
前記プリント実行手段２５、記憶処理手段２６、コマデータ量算出手段２７、画像データ量設定手段２８は夫々とも、前記半導体メモリ２３に展開されたソフトウエアを想定しているが、一部又は全てをロジック等のハードウエアで構成することも可能である。
【００４４】
前記プリント実行手段２５はソフトウエアで成り、前記フィルムスキャナ２や前記ディスクドライブ７や半導体ドライブ８で取得した画像データ（デジタル信号化された撮影画像）を一覧化したプリント処理のためのプレジャッジ画面３０（図８を参照）ディスプレイ３に表示して、プリントの可否の設定や、プリントサイズや、プリント枚数の設定を実現すると共に、このような設定情報（オーダデータ）と画像データとを前記写真プリント部Ｐに転送してプリント処理を実現する。
【００４５】
前記記憶処理手段２６はソフトウエアで成り、前記フィルムスキャナ２や前記ディスクドライブ７や半導体ドライブ８で取得した画像データ（デジタル信号化された撮影画像）を一覧化した記憶処理のためのプレジャッジ画面４０（図９を参照）をディスプレイ３に表示して、前記ディスクドライブ７又は前記ディスク処理装置１０を介して前記ディスク型メディアＭｄに前記画像データを記憶する処理を行う。
【００４６】
前記コマデータ量算出手段２７はソフトウエアで成り、前記ディスク型メディアＭｄに記憶可能な記憶容量と、このディスク型メディアＭｄに記憶する前記画像データのコマ数とからディスク型メディアＭｄに記憶可能な１コマあたりの記憶可能データ量を算出する処理を行う。
【００４７】
前記画像データ量設定手段２８はソフトウエアで成り、前記記憶可能データ量に基づいて前記ディスク型メディアＭｄに記憶する画像データのデータ量を設定する処理を行う。具体的に説明すると、前記フィルムスキャナ２においてプレスキャンを行った後に本スキャンを行うものでは、予め設定された解像度で本スキャンを行った場合における画像データ量を推定する。次に、このように推定した画像データ量と、前記記憶可能データ量とを比較して、画像データ量が記憶可能データ量より大きい場合には、前記写真フィルムのコマ画像の光電変換時の解像度を低下させて（画素数を減じて）画像データ量を低減する処理を行う。これとは逆に、画像データ量が記憶可能データ量より小さい場合には、前記写真フィルムのコマ画像の光電変換時の解像度を増大させて（画素数を増大させて）画像データ量を増大する処理を行う。
【００４８】
これと同様に、前記フィルムスキャナ２で本スキャンを行って既に取得している画像データを用いる場合や、メディアに既に記憶してある画像データを用いる場合には、この画像データ量と、前記記憶可能データ量とを比較して、画像データ量が記憶可能データ量より大きい場合には、画像データの解像度を低下させて画像データ量を低減する処理を行う。因みに、この処理において画像データ量が記憶可能データ量より小さい場合には、画像データ量を増大する処理を行っても良いが、補間処理によって画像データ量を増大させることになるので、画素数は増大するが解像度を高めるにはあまり有効ではない。
【００４９】
前記フィルムスキャナ２に写真フィルムＦをセットし、この写真フィルムＦから画像データを取得し、この複数の画像データをプリントする処理、及び、前記ディスク処理装置１０においてディスク型メディアＭｄに記憶する際の基本的な処理を図４のフローチャートのように示すことが可能である。また、このように画像データをディスク型メディアＭｄに記憶する際におけるデータの流れを図１３のように示すことが可能である。
【００５０】
この処理ではフィルムスキャナ２でプレスキャンを先に行ってサムネイル画像データを先に取得し、この後に本スキャンを行うことにより高解像度の画像データを取得するものを例に挙げて説明しているが、フィルムスキャナ２において本スキャンのみを行うものや、デジタルカメラで撮影された画像データに対する処理を適宜説明する。
【００５１】
前記フィルムスキャナ２に現像済み写真フィルムＦをセットしてプレスキャンを行い、メニュー画面（図示せず）において、プリント処理を選択することにより、図８に示すようにプリント処理のためのプレジャッジ画面３０がディスプレイ３に表示される。このプレジャッジ画面３０には前記プレスキャンによって取得したサムネイル画像データが表示される（＃０１〜＃０３ステップ）。
【００５２】
前記プレジャッジ画面３０は、画面中央部にサムネイル画像データを表示する複数の画像表示領域３１に配置し、画面の下部にプリントサイズ表示部３２と、スタートボタン３３とを配置している。また、前記複数の画像表示領域３１の上部位置にコマ番号表示部３４を形成し、画像表示領域３１の下部位置に３つの色補正ボタン３５と、１つの濃度設定ボタン３６と、枚数表示部３７とを形成している。このプレジャッジ画面３０は画面中に表示されたボタン類をカーソルで選択してキーボード５やマウス６のスイッチを操作することでプリント処理に必要なオーダデータを設定するインタフェースとして機能する。尚、このプレジャッジ画面３０ではプリントを行わない場合には、前記枚数表示部３７に「０」の数字を入力することになり、次の頁等のサムネイル画像データを新たに表示する場合には、スクロールボタン３８が操作される。
【００５３】
前記３つの色補正ボタン３５はＣ（シアン）・Ｍ（マゼンタ）・Ｙ（イエロー）の３原色に対応した色補正を実現するものであり、カーソルで色補正ボタン３５を操作する毎に設定された単位で色濃度の増減を行える。また、濃度設定ボタン３６はカーソルで選択した操作する毎に画像データの濃度の増減を行える。更に、前記枚数表示部３７には、プリント枚数の入力が可能である。
【００５４】
このプレジャッジ画面３０においてオーダデータが設定された後にスタートボタン３３を操作することにより、前記プリント実行手段２５が前記フィルムスキャナ２を制御することにより、プリントサイズに適合した解像度で本スキャンを実行する。次に、前記プリント実行手段２５、本スキャンによって取得した高解像度の画像データと、前記オーダデータとを前記写真プリント部Ｐに伝送し、この写真プリント部Ｐはオーダデータに従ったプリント処理を実行する。このプリント処理の結果、オーダデータで設定されたサイズの印画紙に対して、指定した画像データをプリントする処理が実現する（＃０４、＃０５ステップ）。
【００５５】
前述したプリント処理の実行の後においても、前述したプリント処理を実行しない場合でも（＃０２ステップ・Ｎｏ）、メニュー画面（図示せず）において、画像データをメディアに記憶する処理を選択した場合には、図９に示すように記憶処理のためのプレジャッジ画面４０が前記ディスプレイ３に表示される。このプレジャッジ画面４０には前記プレスキャンによって取得したサムネイル画像データが表示される（＃０６〜＃０７ステップ）。
【００５６】
前記プレジャッジ画面４０は、画面中央部にサムネイル画像データを表示する複数の画像表示領域４１に配置し、画面の下部にはプレスキャンで取得した全てのコマ数を表示する全コマ数表示部４２と、選択されたコマ数を表示する選択コマ数表示部４３と、スタートボタン４４とを配置している。このプレジャッジ画面４０は、画面中に表示されたボタン類をカーソルで選択してキーボード５やマウス６のスイッチを操作することで記憶処理を実現するインタフェースとして機能する。
【００５７】
また、前記複数の画像表示領域４１の上部位置にコマ番号表示部４５を形成し、画像表示領域４１の下部には記憶の可否を設定するチェック部４６を形成している。尚、次の頁等のサムネイル画像データを新たに表示する場合には、スクロールボタン４７が操作される。
【００５８】
このプレジャッジ画面４０において、チェック部４６にチェックすることにより、そのサムネイル画像データに対応する画像データが記憶対象に設定され、記憶対象に設定された画像データの数が前記選択コマ数表示部４３に表示される。
【００５９】
この後、スタートボタン４４を操作することにより（＃０８ステップ・Ｙｅｓ）、記憶処理ルーチン（＃１００ステップ）が実行され、これにより記憶媒体としてのディスク型メディアＭｄ（例えば、ＣＤ−ＲやＤＶＤ−Ｒ）に画像データが保存され、これらの処理オーダの処理を終えることで終了する（＃０９ステップ）。
【００６０】
前記記憶処理ルーチン（＃１００ステップ）が図５のフローチャートに示すようにサブルーチンとしてセットされている。この記憶処理ルーチンでは、ディスク処理装置１０においてディスク型メディアＭｄの記憶容量（Ｘ）を取得し、記憶対象にセットされた画像データのコマ数（Ｎ）と、１コマの画像データ量（Ｄｇ）とを取得する（＃１０１、＃１０２ステップ）。
【００６１】
前記１コマの画像データ量（Ｄｇ）とは、予め設定された解像度での本スキャンで取得する画像データ量を想定したものであるが、プレスキャンを行わず本スキャンのみを行う装置では、本スキャンによって取得した画像データ量を指す。また、本発明では写真のプリントのために先に本スキャンを行っている場合には、この本スキャンによって先に取得している画像データを記憶する画像データに設定することも可能であり、この場合には、その画像データの画像データ量が１コマの画像データ量（Ｄｇ）に設定される。
【００６２】
特に本発明では、デジタルカメラで撮影された画像データを記憶媒体に記憶する処理も行えるものであり、この記憶処理を行う場合には、デジタルカメラで撮影された画像データの画像データ量が、１コマの画像データ量（Ｄｇ）に設定される。
【００６３】
次に、ディスク型メディアＭｄの記憶容量（Ｘ）と、コマ数（Ｎ）とから、このディスク型メディアＭｄに記憶可能となる１コマあたりの記憶可能データ量（Ｄｎ）を算出し、前記画像データ量（Ｄｇ）と記憶可能データ量（Ｄｎ）とを比較する（＃１０３、＃１０４ステップ）。これらの処理のうち＃１０３ステップでの処理は前記コマデータ量算出手段２７が実行する。
【００６４】
この比較処理により、Ｄｇ＞Ｄｎであることを判別した場合には（＃１０５ステップ・Ｙｅｓ）、画像量低減ルーチン（＃２００ステップ）の処理（この処理は後述する）を実行する。この＃２００ステップの処理が前記画像データ量設定手段２８で行われる。
【００６５】
前記比較処理により、Ｄｇ＞Ｄｎで無い場合（Ｄｇ≦Ｄｎ）には、ディスク型メディアＭｄに記憶する１コマあたりの画像データ量の増大が可能である旨のメッセージ（図示せず）をディスプレイ３に表示する。このメッセージに基づいて画像データ量を増大する処理をオペレータが選択した場合には（＃１０６ステップ・Ｙｅｓ）、画像データ量増大ルーチン（＃３００ステップ）の処理（この処理は後述する）を実行する。そして、これらの処理を行わない場合（＃１０６ステップ・Ｎｏ）、前記画像データ量（Ｄｇ）を目標画像データ量にセットし、セットされた目標画像データ量となる画像データを取得し、その画像データをディスク型メディアＭｄに記憶する処理が行われる（＃１０７〜＃１０９ステップ）。
【００６６】
前記画像データ量低減ルーチン（＃２００ステップ）では、図６のフローチャートに示すように、図１０に示すデータ量設定画面５０をディスプレイ３に表示する（＃２０１ステップ）。このデータ量設定画面５０には自動設定ボタン５１と、任意設定ボタン５２と、この任意設定ボタン５２に関連する複数のチェック部５３及びプルダウンメニュー５４と、複数の画像データの一部の画像データ量を他の画像データ量と異ならせる選択設定ボタン５５とを形成している。
【００６７】
このデータ量設定画面５０は、ボタン類をカーソルで選択してキーボード５やマウス６のスイッチを操作することでデータ量の設定に必要な処理を実現するインタフェースとして機能する。
【００６８】
この画像データ量低減ルーチンでは、前記記憶可能データ量（Ｄｎ）と予め設定されている限界値（Ｄｘ）とを比較する（＃２０２ステップ）。この比較によってＤｎ＜Ｄｘでない場合には（＃２０３ステップ・Ｎｏ）、図１１に示すメディア数設定画面６０を表示する。
【００６９】
このメディア数設定画面６０には、低減後のデータ量がメディアへの記憶に適当でなく、複数のメディアに記憶することを勧めるメッセージ（記憶処理の可否を確認するメッセージ）として表示し、画面中にＹｅｓボタン６１と、メディア数入力部６２と、ＯＫボタン６３とを形成すると共に、Ｎｏボタン６４とＯＫボタン６５とを形成している。
【００７０】
このメディア数設定画面６０においてＹｅｓボタン６１を操作した後に、メディア数入力部にメディア数（２以上の値）を入力し、ＯＫボタン６３を操作することにより、そのメディア数が取得され、Ｎｏボタン６４を操作した後に、ＯＫボタン６５を操作することによりメディア数として「１」がセットされる（＃２０４ステップ）。
【００７１】
前記データ量設定画面５０において、自動設定ボタン５１を操作した場合には目標画像データ量が自動的にセットされる。つまり、前記メディアの数が「１」である場合には前記記憶可能データ量（Ｄｎ）が１コマあたりの目標画像データ量にセットされ、メディアの数が２以上である場合には、前記記憶可能データ量（Ｄｎ）をメディアの数で除した値が目標データ量にセットされる（＃２０５、＃２０６ステップ）。
【００７２】
前記任意設定ボタン５２を操作した場合には、任意の目標画像データ量がセットされる。つまり、複数のチェック部５３から目標画像データ量に相当するものを選択する、又は、複数のチェック部５３のうち任意に画像データ量を設定するものをチェックした後プルダウンメニュー５４に示される目標画像データ量を選択しておくことにより、任意の目標画像データ量がセットされる（＃２０７、＃２０８ステップ）。
【００７３】
この処理では、前記複数のチェック部５３の何れを選択した場合でも、前記記憶可能データ量（Ｄｎ）より小さいデータ量となるように、夫々のチェック部に対応した画像データ量が設定されている。
【００７４】
前記選択設定ボタン５５を操作した場合には、図１２に示す画像データ選択画面７０をディスプレイ３に表示し、この画面において複数の画像データのうち選択したものを異なるデータ量で記憶することが可能となる。つまり、この画像データ選択画面７０には記憶処理のためのプレジャッジ画面４０において選択された画像データを一覧化して表示される第１表示部７１と、選択された画像データが表示される第２表示部７２とが形成されている。
【００７５】
この画像データ選択画面７０には、第１表示部７１の画像データを選択する選択ボタン７３と、選択後の画像データの選択を解除して第１表示部７１に戻す解除ボタン７４が形成されている。第１表示部７１の下方位置には第１表示部７１に表示された画像データ量を自動又は任意に設定するチェック部７５と、任意の画像データ量の設定部７６とが形成され、第２表示部７２の下方位置には第２表示部７２に表示された画像データ量を維持するチェック部７５と任意の画像データ量を設定するチェック部７７と、任意に画像データ量の設定部７８とが形成され、更に、ＯＫボタン７９が形成されている。
【００７６】
前記第１表示部７１に表示された画像データは画像データ量を低減する対象となるのであるが、第２表示部７２に表示された画像データはデータ量を維持することや、第１表示部７１に表示された画像データより大きい画像データ量に設定される。
【００７７】
具体的な操作形態としては、第１表示部７１に表示された複数の画像データから大きい画像データとして記憶したいものをカーソルによって選択した状態で、前記選択ボタン７３を操作することで、選択された画像データが第２表示部７２に表示される。また、このように選択された画像データの選択を解除する際には、第２表示部７２表示された画像データをカーソルによって選択した状態で、前記解除ボタン７４を操作する。
【００７８】
このように選択した後に、前記チェック部７５、７７において必要とするチェックを行い、任意に画像データ量を設定する場合には、その値を設定部７６、７８に入力する。このような操作の後に、ＯＫボタン７９を操作することで２種類の目標画像データ量をセットすることが可能となる（＃２０９、＃２１０ステップ）。
【００７９】
前記＃２０６、＃２０８、＃２１０ステップにおいて目標画像データ量がセットされた後には、セットされた目標画像データ量となる画像データを取得し（＃１０８ステップ）、前記＃１０９ステップでの処理によって画像データが記憶媒体としてのディスク型メディアＭｄに記憶されることになる。このように記憶する場合には、前述のようにセットされた目標画像データ量に基づいて前記フィルムスキャナ２における解像度が設定された状態で本スキャンが実行され、高解像度の画像データが取得され、この画像データがディスク型メディアＭｄに記憶されるのである。また、この処理において、ディスク型メディアＭｄに記憶する画像データに対して必要とする色補正等の補正処理を施すように処理形態を設定することも可能である。特に、前述のようにプリント処理に用いた画像データをディスク型メディアＭｄに記憶する場合、プリント処理時の補正処理やトリミング処理後の画像データを記憶するものであっても良い。
【００８０】
また、ディスク型メディアＭｄに画像データを記憶する場合に、既に画像データを取得している場合には、例えば、画素を間引く処理によって画像データ量を低減する処理が実行される。特に、本発明では、画像データ量を低減する処理として、ＴＩＦＦ（Tag Image File Format）形式や、ＪＰＥＧ形式（Joint Photographic Experts Groupが制定した形式）のように画像データを圧縮する処理を行っても良く、前述したように画素数を低減する処理と画像データを圧縮する処理とを併用するよう処理形態を設定しても良い。
【００８１】
また、本発明では、フィルムスキャナ２でプレスキャンを行わない処理形態を採用した場合、あるいは、デジタルカメラで撮影された画像データを記憶した半導体メディアから画像データを取得した場合には、前記＃１０８ステップでは、既に取得されている画像データの画素数を減ずることにより画像データ量を目標画像データ量を低減する処理が行われ、その画像データをディスク型メディアＭｄに記憶する処理が行われる。
【００８２】
一方、前記画像データ量増大ルーチン（＃３００ステップ）では、図７のフローチャートに示すように、図１０に示すデータ量設定画面５０をディスプレイ３に表示する（＃３０１ステップ）。このデータ量設定画面５０は、前記＃２００ステップにおいて表示したものと等しい構造のものであり、操作形態も前述と同様である。
【００８３】
この画像データ量増大ルーチンでは、自動設定ボタン５１を操作した場合には目標画像データ量が自動的にセットされる。つまり、前記ディスク型メディアＭｄの記憶容量（Ｘ）を画像データのコマ数（Ｎ）で除した値が１コマあたりの目標画像データ量にセットされる（＃３０２、＃３０３ステップ）。
【００８４】
前記任意設定ボタン５２を操作した場合には、任意の目標画像データ量がセットされる。つまり、複数のチェック部５３から目標画像データ量に相当するものを選択する、又は、複数のチェック部５３のうち任意に画像データ量を設定するものをチェックした後プルダウンメニュー５４に示される目標画像データ量を選択しておくことにより、任意の目標画像データ量がセットされる（＃３０４、＃３０５ステップ）。
【００８５】
この処理では、前記複数のチェック部５３の何れを選択した場合でも、前記記憶可能データ量（Ｄｎ）より大きいデータ量となり、このように設定される画像データ量にコマ数（Ｎ）を乗じた値が前記ディスク型メディアＭｄの記憶容量（Ｘ）を超えないように設定されるように、夫々のチェック部に対応した画像データ量が設定されている。
【００８６】
前記選択設定ボタン５５を操作した場合には、図１２に示す画像データ選択画面７０をディスプレイ３に表示する。前記＃２００ステップにおいて表示したものと等しい構造のものであり、操作形態も前述した通りである。
【００８７】
この画像データ選択画面７０において、前述と同様に画像データを選択した後に、前記チェック部７５、７７において必要とするチェックを行い、任意に画像データ量を設定する場合には、その値を設定部７６、７８に入力する。このような操作の後に、ＯＫボタン７９を操作することで２種類の目標画像データ量をセットすることが可能となる（＃３０６、＃３０７ステップ）。
【００８８】
前記＃３０３、＃３０５、＃３０７ステップにおいて目標画像データ量がセットされた後には、セットされた目標画像データ量となる画像データを取得し（＃１０８ステップ）、前記＃１０９ステップでの処理によって画像データが記憶媒体としてのディスク型メディアＭｄに記憶される。この記憶処理では、前述のようにセットされた目標画像データ量に基づいて前記フィルムスキャナ２における解像度が設定された状態で本スキャンが実行され、高解像度の画像データが取得され、この画像データがディスク型メディアＭｄに記憶されるのである。特に、この処理において、ディスク型メディアＭｄに記憶する画像データに対して必要とする色補正等の補正処理を施すように処理形態を設定することも可能である。
【００８９】
このように本発明では、記憶媒体に画像データを記憶する場合には、画像データのコマ数と、記憶媒体の記憶容量を取得して、その記憶媒体に記憶する際の画像データのデータ量（画像データ量）を求め、画像データ量の低減が必要な場合には、オペレータが望む形態で画像データ量の低減を行うことにより設定された枚数のディスク型メディアＭｄの容量を有効に利用して画像データの記憶を行えるものとなる。これとは逆に、記憶媒体に記憶する際の画像データのデータ量（画像データ量）を求め、画像データの増大が可能である場合には、フィルムスキャナ２で画像データを取得する際の解像度を高めることにより高解像度の画像データを取得できるのである。
【００９０】
特に、任意に設定した画像データ量（画素数）を選択した場合、その選択される画像データ量を、プリンタの解像度に対応したプリントサイズに対応させておくことにより（例えば、４Ｂａｓｅや１６Ｂａｓｅ等の画素数）、画像データを記憶したディスク型メディアＭｄから写真をプリントする際の処理を容易にする。また、ディスク型メディアＭｄに記憶する他の画像データより大きい画素数の画像データを選択的に記憶する処理を行うことにより、大判のプリントを行う場合に対応させることも可能となる。
【００９１】
〔別実施形態〕
本発明は、上記した実施の形態以外に以下のように構成しても良い。
【００９２】
（イ）画像データを記憶媒体に記憶する処理のみを行うように記憶装置を構成する。具体的には、デジタルカメラで撮影した画像データを受け付け、その場において、ＣＤ−ＲやＤＶＤ−Ｒ等のディスク型メディアＭｄ等のメディアに画像データを記憶するスタンドアロン型の装置を構成する。このように構成した装置はＤＰ店の店頭やコンビニエンスストアの店頭に設置して、ユーザがセルフサービスで処理を行えるものとなる。
【００９３】
（ロ）前記実施形態のようにプリント処理システムに備えられるフィルムスキャナは、Ｒ，Ｇ，Ｂ夫々において１２ビットデータを取得するよう構成されるものの多く、この構造のフィルムスキャナを用いる場合には、１２ビットデータを記憶媒体に記憶するよう処理形態を設定しても良い。
【００９４】
（ハ）１つのコマデータに対して複数の画像データを記憶媒体に記憶できるように処理形態を設定する。具体的には前述した４Ｂａｓｅと１６Ｂａｓｅとの画像データを記憶することにより、記憶媒体に記憶した画像データからプリントを行う際の解像度を適切なものから選択することが可能となる。
【００９５】
（ニ）記憶媒体として、フラッシュメモリのように半導体メディアを画像データの記憶対象に設定しても良い。
【産業上の利用可能性】
【００９６】
フィルムスキャナと記憶処理ユニットとをインターネット等の通信回線を介して接続することにより、フィルムスキャナを備えていない端末において記憶媒体に記憶するように記憶装置を構成することや、これとは逆に、家庭の端末と記憶処理ユニットとを接続することにより、家庭においてデジタルカメラで撮影した画像データをセットすることにより記憶処理専用の端末で家庭からの画像データを記憶媒体に記憶するように記憶処理装置を構成できる。
【図面の簡単な説明】
【００９７】
【図１】プリント処理システムの全体斜視図
【図２】ディスク処理装置の斜視図
【図３】制御系のブロック回路図
【図４】基本的な処理を示すフローチャート
【図５】記憶処理ルーチンのフローチャート
【図６】画像データ量低減ルーチンのフローチャート
【図７】画像データ量増大ルーチンのフローチャート
【図８】プリント処理のためのプレジャッジ画面を示す図
【図９】記憶処理のためのプレジャッジ画面を示す図
【図１０】データ量設定画面を示す図
【図１１】メディア数設定画面を示す図
【図１２】画像データ選択画面を示す図
【図１３】記憶処理時におけるデータの流れを示す図
【符号の説明】
【００９８】
２            フィルムスキャナ
２７          コマデータ量算出手段
２８          画像データ量設定手段
Ｄｎ          記憶可能データ量
Ｆ            写真フィルム
Ｍｄ          記憶媒体：ディスク型メディア
Ｎ            コマ数
【図１】
2006180355.tif 000003
【図２】
2006180355.tif 000004
【図３】
2006180355.tif 000005
【図４】
2006180355.tif 000006
【図５】
2006180355.tif 000007
【図６】
2006180355.tif 000008
【図７】
2006180355.tif 000009
【図８】
2006180355.tif 000010
【図９】
2006180355.tif 000011
【図１０】
2006180355.tif 000012
【図１１】
2006180355.tif 000013
【図１２】
2006180355.tif 000014
【図１３】
2006180355.tif 000015